(57)【要約】【課題】ウェブページの初回登録時にはその要約、更新時にはその更新情報を直ちに電子メールで配信することで電子広告による広告効果を高めること。【解決手段】電子広告サーバ４は、受信した電子メールが、新規の会員広告主の登録依頼であるのか、新規の会員顧客の登録依頼であるのか、新規の電子広告登録依頼であるのか、それとも既登録電子広告の更新依頼であるのか、の区別を判別し、これらの各依頼に対応して依頼内容を処理する。電子広告に関する依頼については、新規登録依頼か更新依頼かの区別なく、対象会員顧客に対して、電子広告のウェブページのＵＲＬと、広告内容の要約または更新箇所を含む情報を電子メールで通知する。【選択図】図１
2010033471.tif 000002
【特許請求の範囲】
【請求項１】
複数の広告主の各々の端末装置または携帯電話によって作成される電子広告情報を電子広告サーバを介してウェブページとして提供する電子広告配信システムであって、
前記複数の広告主の各々の端末装置または携帯電話において、
新規の入会を依頼する登録申請を前記電子広告サーバに送信する手段と、
前記ウェブページの電子広告に掲載する本文を入力する手段と、
前記電子広告に掲載する広告写真を入力する手段と、
前記電子広告の本文を表示すると共に前記表示した電子広告本文に対して、前記電子広告本文に対応する前記広告写真を添付し、さらに前記本文及び／または前記広告写真を編集して電子広告情報を作成する手段と、
前記電子広告情報を前記電子広告サーバに送信する手段と、を備え、
前記電子広告サーバにおいて、
新規の入会広告主を会員登録する手段と、
新規の入会顧客を会員登録する手段と、
前記広告主から電子メールで送信された新規電子広告の登録依頼に基づいて前記新規電子広告情報または前記新規電子広告情報の編集結果をウェブページとして登録する手段と、
前記ウェブページの登録に併せて、前記ウェブページのＵＲＬ(Uniform Resource Locator)及び前記新規電子広告情報の要約を、前記会員登録した全ての顧客若しくは前記電子広告に適合した顧客の端末装置または携帯電話に送信する手段と、
前記広告主から電子メールで送信された電子広告の更新依頼に基づいて前記ウェブページとして登録された電子広告情報を更新すると共に、前記更新結果を前記ウェブページとして再登録する手段と、
前記ウェブページの再登録に併せて、前記ウェブページのＵＲＬ及び前記電子広告情報の更新内容または前記更新内容情報を編集した結果を、前記会員登録した全ての顧客若しくは前記電子広告に適合した顧客の端末装置または携帯電話に送信する手段と、
を備えたことを特徴とする電子広告配信システム。
【請求項２】
前記電子広告の本文は、前記会員登録した広告主の端末装置または携帯電話に表示される電子広告入力画面を介して入力できるようにし、前記電子広告の編集は、前記会員登録した広告主の端末装置または携帯電話に表示される電子広告編集画面を介して行えるようにしたことを特徴とする請求項１記載の電子広告配信システム。
【請求項３】
前記広告写真は、前記会員登録した広告主の端末装置または携帯電話に付属のカメラを用いて撮影されたものであることを特徴とする請求項１または請求項２記載の電子広告配信システム。
【請求項４】
前記ウェブページは掲示板形式またはブログ形式であることを特徴とする請求項１記載の電子広告配信システム。
【請求項５】
前記会員登録した顧客が、前記ウェブページを閲覧した時には、前記会員顧客に対して所定の特典が提供されるように前記ウェブページを構成したことを特徴とする請求項１記載の電子広告配信システム。
【請求項６】
前記所定の特典は、サービスポイント及び／またはクーポンの提供であることを特徴とする請求項５記載の電子広告配信システム。
【発明の詳細な説明】
【技術分野】
【０００１】
本発明は、電子広告配信システムに関し、特に、複数の広告主の各々から広告情報がウェブページを介して提供されると共に、その更新情報が電子メールによって配信される電子広告配信システムに関する。
【背景技術】
【０００２】
従来、広告主により作成される広告情報は電子メール手段、若しくはウェブページを介して提供されており、このような形態の広告手段は、いわゆる電子広告の一つとして普及している。
【０００３】
例えば、このような電子広告システムとして、一般顧客の携帯端末装置と接続された電子広告代行センターにおいて会員登録用のメールと広告メールとを受信し、既に会員登録されている顧客の端末装置にメール配信するシステムが提案されている（例えば、特許文献１参照）。
【０００４】
また、一般顧客をその嗜好情報に基づいて会員登録する電子広告代行センターに、メールサーバ、受付サーバ、及びウェブサーバを備え、広告主を顧客とする広告依頼店の端末装置からメールサーバに送信された電子メールから広告情報を取り出してウェブサーバの広告情報に自動的に登録する（これにより広告情報を反映したウェブページが提供される）と共に、この広告情報と前記嗜好情報とに基づいて、前記各顧客範囲から広告提供対象を選定し、この選定した広告提供対象の端末装置上で前記広告情報が閲覧可能となるようにメール配信するシステムが提案されている（例えば、特許文献２参照）。
【０００５】
【特許文献１】特開２００３−２０８５４３号公報
【特許文献２】国際公開番号ＷＯ２００３／００３２２２号公報
【発明の開示】
【発明が解決しようとする課題】
【０００６】
しかしながら、前述の特許文献１，２での開示内容も含めて、従来の電子広告配信システムでは、電子広告を更新する必要が生じた時に、その更新内容のみを配信する手段が設けられていなかったので、電子メールで過去に配信済み、若しくはウェブページを介して閲覧可能にした電子広告につき、その一部にでも更新する必要が生じた際には、これを全面的に更新する必要が生じ、電子広告全体の情報量が大きいので、通信経費と手間暇を要するという問題点があった。
【０００７】
また、電子広告全体の内容が次第に陳腐化し、その許容限界に達して、これを全面的に更新する必要が生じた際にも、やはり電子広告全体の情報量が大きいので、通信経費と手間暇を要するという問題点があった。
【０００８】
さらに、時系列的に変化する営業活動やサービス内容（時刻限定の特売等）に即した木目の細かい広告ができないという問題点があった。
【０００９】
本発明は、上記問題を解決するため、電子広告をウェブページとして会員顧客に閲覧可能にすると共に、その更新情報を電子メールで配信することを可能にして、電子広告による広告効果を高めると共に、最新の電子広告を配信するための通信経費と手間暇を軽減することができる電子広告配信システムを提供することを目的とする。
【００１０】
本発明の他の目的は、時系列的に変化する営業活動やサービス内容（時刻限定の特売等）を、リアルタイムで木目細かく会員顧客に通知することができる電子広告配信システムを提供することにある。
【課題を解決するための手段】
【００１１】
その目的を達成するため、請求項１に記載の電子広告配信システムは、複数の広告主の各々の端末装置または携帯電話によって作成される電子広告情報を電子広告サーバを介してウェブページとして提供する電子広告配信システムであって、前記複数の広告主の各々の端末装置または携帯電話において、新規の入会を依頼する登録申請を前記電子広告サーバに送信する手段と、前記ウェブページの電子広告に掲載する本文を入力する手段と、前記電子広告に掲載する広告写真を入力する手段と、前記電子広告の本文を表示すると共に前記表示した電子広告本文に対して、前記電子広告本文に対応する前記広告写真を添付し、さらに前記本文及び／または前記広告写真を編集して電子広告情報を作成する手段と、前記電子広告情報を前記電子広告サーバに送信する手段と、を備え、前記電子広告サーバにおいて、新規の入会広告主を会員登録する手段と、新規の入会顧客を会員登録する手段と、前記広告主から電子メールで送信された新規電子広告の登録依頼に基づいて前記新規電子広告情報または前記新規電子広告情報の編集結果をウェブページとして登録する手段と、前記ウェブページの登録に併せて、前記ウェブページのＵＲＬ(Uniform Resource Locator)及び前記新規電子広告情報の要約を、前記会員登録した全ての顧客若しくは前記電子広告に適合した顧客の端末装置または携帯電話に送信する手段と、前記広告主から電子メールで送信された電子広告の更新依頼に基づいて前記ウェブページとして登録された電子広告情報を更新すると共に、前記更新結果を前記ウェブページとして再登録する手段と、前記ウェブページの再登録に併せて、前記ウェブページのＵＲＬ及び前記電子広告情報の更新内容または前記更新内容情報を編集した結果を、前記会員登録した全ての顧客若しくは前記電子広告に適合した顧客の端末装置または携帯電話に送信する手段と、を備えたことを特徴とする電子広告配信システムを提供するものである。
【００１２】
このような請求項１に記載の構成によれば、ウェブページの電子広告の登録時には、当該ウェブページの新規登録に併せてその要約が会員顧客の端末装置に送信され、また、当該ウェブページの電子広告の更新時には、当該ウェブページの更新と再登録に併せてその更新情報を会員顧客の端末装置に送信するようにしているので、会員顧客は最新の電子広告情報を漏らさず取得することが可能となり、広告効果を高めることができる。
【００１３】
また、電子広告のウェブページは更新情報によって更新できるようにしているので、電子広告のウェブページを全面的に再登録する必要がなくなり、最新の電子広告を配信するための通信経費と手間暇を軽減することができる。
【００１４】
さらに、時系列的に変化する営業活動やサービス内容（時刻限定の特売等）を、リアルタイムで木目細かく会員顧客に通知することができるので、集客効果が高まると共に、会員顧客は商品を有利に購買できる機会を持つことができる。
【００１５】
そしてまた、請求項２に記載の電子広告配信システムは、前記電子広告の本文を、前記会員登録した広告主の端末装置または携帯電話に表示される電子広告入力画面を介して入力できるようにし、前記電子広告の編集は、前記会員登録した広告主の端末装置または携帯電話に表示される電子広告編集画面を介して行えるようにすることを要旨とする。
【００１６】
このような請求項２に記載の構成によれば、会員広告主に対して、電子広告の作成・編集の操作を容易にすると共に、電子広告サーバが入手する広告情報の形式を揃えることが可能となる。
【００１７】
そしてまた、請求項３に記載の構成によれば、前記広告写真は、前記複数の広告主の各々の端末装置または携帯電話に付属のカメラを用いて撮影できるようにすることを要旨とする。
【００１８】
このような請求項３に記載の構成によれば、携帯が可能な端末装置付属のカメラまたはカメラ付きの携帯電話を用いて、商品陳列現場における商品の写真を撮影して電子広告情報に含めることができるので、広告写真の作成が容易となると共に、会員顧客に対しては、あたかも市場にて買い物をしているのと同じような臨場効果を与えながらリアルタイムに商品写真を提示することができる。
【００１９】
そしてまた、請求項４に記載の構成によれば、前記ウェブページは掲示板形式またはブログ形式であることを要旨とする。
【００２０】
このような請求項４に記載の構成によれば、電子広告のウェブページの更新を簡単に行うことができる。
【００２１】
そしてまた、請求項５に記載の構成によれば、前記会員登録した顧客が、前記ウェブページを閲覧した時には、前記会員顧客に対して所定の特典が提供されるように前記ウェブページを構成したことを要旨とする。
【００２２】
このような請求項５に記載の構成によれば、会員顧客に対する利益還元によってサービス体制を強化すると共に、会員顧客の購買動機を高めて集客力を向上させることができる。
【００２３】
そしてまた、請求項６に記載の構成によれば、前記所定の特典は、サービスポイント及び／またはクーポンの提供であることを特徴とする。
【発明の効果】
【００２４】
本発明の電子広告配信システムにあっては、以上説明したように構成したことにより、会員顧客は最新の電子広告情報を漏らさず取得することが可能となり、広告効果を高めることができる効果がある。
【００２５】
また、電子広告のウェブページは更新情報によって更新するので、電子広告のウェブページを全面的に再登録する必要がなくなり、最新の電子広告を配信するための通信経費と手間暇を軽減することができる効果がある。
【００２６】
さらに、時系列的に変化する営業活動やサービス内容（時刻限定の特売等）を、リアルタイムで木目細かく会員顧客に通知することができるので、集客効果が高まると共に、会員顧客は商品を有利に購買できる機会を持つことができる効果がある。
【００２７】
また、電子広告情報の入力に際しては、ウェブページやブラウザ等で与えられる専用の入力画面を提供するので、会員広告主は電子広告の作成・編集の操作が容易になり、他方、電子広告サーバは、入手する広告情報の形式を揃えることができる効果がある。
【００２８】
また、携帯が可能な端末装置付属のカメラまたはカメラ付きの携帯電話を用いて、商品陳列現場における商品の写真を撮影して電子広告情報に含めることが可能であるので、会員広告主は、広告写真の作成が容易となると共に、会員顧客に対しては、あたかも市場にて買い物をしているのと同じような効果を与えながらリアルタイムに商品写真を提示することができる効果がある。
【００２９】
さらに、電子広告のウェブページは掲示板形式またはブログ形式にすることも可能であるので、電子広告のウェブページの更新を簡単に行うことができる効果がある。
【発明を実施するための最良の形態】
【００３０】
以下、本発明の電子広告配信システムの最良の実施形態について、図面を参照して詳細に説明する。
【００３１】
図１は、本発明の実施形態に係る電子広告配信システムの全体的なシステム構成を示す構成図である。
【００３２】
図１おいて、本実施形態の電子広告配信システムは、電子広告の登録及び更新を依頼する広告主端末装置（１−１〜１−ｎ）と、前記広告主端末装置に接続可能なカメラ（２−１〜２−ｎ）と、電子広告の登録及び更新を依頼する広告主携帯電話（３−１〜３−ｒ）と、依頼された電子広告の登録及び更新を実行する１以上の電子広告サーバ４と、電子広告を電子メールで受信するか、若しくは電子広告のウェブページを閲覧する顧客端末装置（５−１〜５−ｍ）と、電子広告のウェブページを閲覧する顧客携帯電話（６−１〜６−ｈ）と、を備え、さらに、インターネット網１０と携帯電話網２０を利用する構成である。
【００３３】
電子広告サーバ４は、１個以上を設置することが可能であり、その各々は、機能ブロックの構成として、電子メールを受付処理する受付サーバ４０１と、広告情報を含む電子メールを配信するメールサーバ４０２と、電子広告を登録処理するウェブサーバ４０３と、を備え（詳細は図３参照）、その各々のハードウェアは、インターネット網１０を介した通信機能を有するコンピュータで構成することができる（図２参照）。
【００３４】
顧客端末装置（５−１〜５−ｍ）は、通信機能を有するパーソナルコンピュータであってもよいし、携帯電話端末装置であってもよい。
【００３５】
広告主端末装置（１−１〜１−ｎ）は、インターネット網１０を介した通信機能を有するコンピュータで構成することができる（図４参照）。
【００３６】
広告主携帯電話（３−１〜３−ｒ）は、カメラ付き携帯電話であることが望ましい。
【００３７】
インターネット網１０は、携帯電話網２０と接続されているが、部分的にはＬＡＮ（Local Area Network）、公衆電話網で構成されるものであってもよい。
【００３８】
以下、本実施形態に係る電子広告配信システムの機能を説明する。
まず、電子広告を提供することを望む広告主は、会員広告主の登録依頼を電子広告サーバ４に送信し、他方、電子広告の提供を望む顧客は、会員顧客の登録依頼を電子広告サーバ４に送信する（これにより、電子広告サーバ４では、会員広告主と会員顧客の登録がなされる）。
【００３９】
次に、電子広告を提供することを望む広告主は、広告主端末装置（１−１〜１−ｎ）または広告主携帯電話（３−１〜３−ｒ）を用いて、所定の広告入力画面（図５参照）を介し、電子広告の文面を作成すると共に、カメラ（２−１〜２−ｎ）または広告主携帯電話（３−１〜３−ｒ）付属のカメラを使用して、広告したい商品の写真を撮影する。
【００４０】
さらに、所定の広告編集画面（図６参照）を介し、前記電子広告の文面と前記写真の画像データとを含む電子広告情報を作成し、この電子広告情報を含む電子広告登録依頼を電子広告サーバ４に送信する。
【００４１】
なお、前記所定の広告入力画面及び前記所定の広告編集画面は、送信した電子広告情報単位で広告主端末装置（１−１〜１−ｎ）または広告主携帯電話（３−１〜３−ｒ）に保存される。
【００４２】
広告主は、前記会員広告主の登録依頼の後、前記登録依頼した電子広告情報に関し、日々の営業活動により生じる更新要求を（この要求が生じた都度）、広告主端末装置（１−１〜１−ｎ）または広告主携帯電話（３−１〜３−ｒ）の前記所定の広告入力画面及び前記所定の広告編集画面を介して入力し、再送信する。
【００４３】
この入力に際しては、登録依頼した時の前記所定の広告入力画面及び前記所定の広告編集画面が前述のとおり保存されているので、広告主は、更新箇所だけを入力して入力の手間を省くことができる。
【００４４】
電子広告サーバ４は、受信した電子メールが、新規の会員広告主の登録依頼であるのか、新規の会員顧客の登録依頼であるのか、新規の電子広告登録依頼であるのか、それとも既登録電子広告の更新依頼であるのか、を判別し、これらの各依頼に対応して依頼内容を処理する。
【００４５】
その詳細は後述するが、電子広告に関する依頼については、新規登録依頼か更新依頼かの区別なく、対象会員顧客に対して、電子広告のウェブページのＵＲＬ(Uniform Resource Locator)と、広告内容の要約または更新箇所を含む情報を電子メールで通知する。
【００４６】
他方、電子広告の提供を望む顧客は、前記会員顧客の登録依頼の後、広告主によって提供される電子広告のウェブページのＵＲＬと、広告内容の概要または更新箇所を含む情報を電子メールで受信することができる。
さらに、前記ＵＲＬを介して、広告主によって提供される電子広告のウェブページを閲覧することができる。
【００４７】
図２は、本発明の実施の形態に係る電子広告配信システムにおける電子広告サーバ４のハードウェア構成としての１構成例を示す構成図である。
【００４８】
図２において、電子広告サーバ４は、全体を制御する制御部４１と、進行状況等の情報を表示する表示装置４２と、キーボード、ＯＣＲ、スキャナ等で構成され、データや指示情報を入力する入力装置４３と、作成された電子広告等の情報を印刷する印刷装置４４と、広告主の会員登録情報を登録する広告主登録ＤＢ４５１と、顧客の会員登録情報を登録する会員顧客登録ＤＢ４５２と、受信メール情報を格納する受信メール情報ＤＢ４５３と、広告情報を格納する広告情報ＤＢ４５４と、電子広告をウェブページとして登録する電子広告ウェブページ登録ＤＢ４５５と、電子メールの送信履歴を格納する送信履歴ＤＢ４５６と、広告主への課金情報を格納する課金データＤＢ４５７と、を備えて構成される。
【００４９】
制御部４１は、他の構成要素の処理を分担すると共に他の構成要素を制御するＣＰＵ４１１と、制御プログラム及び電子広告の処理に必要なプログラム並びにデータを記憶するＲＡＭ４１２と、回線接続を制御する回線制御部４１３と、インターネット網１０とのプロトコルを備えて他の端末装置との通信を行う通信制御部４１４と、データベースＤＢ４５１〜４５７を制御するＤＢ（データベース）管理部４１５と、電子広告を提供するために必要な各種サーバ（後述）から成るサーバ部４１６と、本システムを利用した広告主への課金処理を行う課金部４１７と、を備える。
【００５０】
ＣＰＵ４１１は、本サーバ全体を制御すると共に、依頼された電子広告の作成処理全般についての補助的な処理を行う。
【００５１】
ＲＡＭ４１２は、本サーバ全体を制御するための制御プログラム及び電子広告の作成処理に必要なプログラムやデータを記憶すると共に、前記の各処理の実行に必要な一時的データ（テンポラリデータ）を記憶する。
【００５２】
回線制御部４１３は、本サーバを、インターネット網１０を介して他の端末装置と双方向通信可能に接続するための通信プロトコルを備えるが、この他に、デジタル終端接続装置（ＤＳＵ）や侵入防止用のファイアウォールアプリケーションを実装したルータなどを備えて構成することができる。
【００５３】
通信制御部４１４は、サーバ部４１６を制御すると共に、広告主端末装置（１−１〜１−ｎ）、広告主携帯電話（３−１〜３−ｒ）、顧客端末装置（５−１〜５−ｍ）及び顧客携帯電話（６−１〜６−ｈ）との回線接続を選択的に行う制御を実行する。
【００５４】
なお、この通信制御部４１４は、例えば、インターネット網１０上での時刻同期用ＮＴＰ（Network Time Protocol）サーバ、分散ファイルシステム用のＮＦＳ（Network File System)サーバなどを備えることができる。
【００５５】
通信制御部４１４は、さらに、個人情報などの秘密保持のための暗号化データ転送用の暗号化通信プロトコルを保持し、ＳＳＬ（Secure Sockets Layer）サーバの制御を実行することができる。
【００５６】
サーバ部４１６（詳細は図３参照）は、受付サーバ４０１、メールサーバ４０２、及びウェブサーバ４０３を備える。
ＤＢ管理部４１５は、入出力バス１２０を介して、前記のデータベース（４５１〜４５７）を管理する。
【００５７】
図３は、電子広告サーバ４におけるサーバ部４１６の機能ブロックとしての１構成例を示す構成図である。
【００５８】
同図に示すように、電子広告サーバ４のサーバ部４１６は、電子メールを受け付けて処理する受付サーバ４０１と、少なくとも電子広告の更新箇所及び電子広告のウェブページのＵＲＬを情報として含む電子メールを作成し、配信するメールサーバ４０２と、電子広告をウェブページとして登録し、提供するウェブサーバ４０３と、を備えて構成される。
【００５９】
受付サーバ４０１は、通信制御部４１４を介して受信した電子メールが新規の会員広告主の登録依頼である場合は、広告主登録ＤＢ４５１への会員広告主の登録処理を行い、新規の会員顧客の登録依頼である場合は、会員顧客登録ＤＢ４５２への会員顧客の登録処理を行う。
【００６０】
また、受信した電子メールが新規の電子広告登録依頼の場合は、電子広告の登録処理をウェブサーバ４０３に指示すると共に、電子広告の要約を電子メールとして対象会員顧客の端末装置に発信させる指令をメールサーバ４０２に指示する。
さらに、受信した電子メールが既登録電子広告の更新依頼である場合は、電子広告の更新処理をウェブサーバ４０３に指示すると共に、電子広告の更新箇所を電子メールとして対象会員顧客の端末装置に発信させる指令をメールサーバ４０２に指示する。
【００６１】
メールサーバ４０２は、受付サーバ４０１からの指示が、電子広告の登録に基づく依頼の場合に、電子広告の要約を作成し、この要約と、電子広告のウェブページのＵＲＬとを含む情報を作成し、対象会員顧客に対し、電子メールで通知する。
【００６２】
また、受付サーバ４０１からの指示が、電子広告の更新に基づく依頼の場合に、電子広告の更新箇所を示す広告情報を作成し、この広告情報と、電子広告のウェブページのＵＲＬとを含む情報を作成し、対象会員顧客に対し、電子メールで通知する。
【００６３】
ウェブサーバ４０３は、受付サーバ４０１からの指示が、電子広告の登録処理である場合は、ウェブページとして提供する電子広告を広告情報ＤＢを作業用に使用して作成し、完成した電子広告を電子広告登録ＤＢ４５５に登録する。
【００６４】
また、受付サーバ４０１からの指示が、既登録電子広告の更新処理である場合は、更新対象となる既登録電子広告の電子広告登録ＤＢ４５５を検索して取り出し、更新処理を行った後、電子広告登録ＤＢ４５５への再書き込みを行う。
なお、ウェブサーバ４０３は、前記インターネット網上に開設される前記電子広告のウェブページ（図７参照）を運営管理する。
【００６５】
図４は、本発明の実施の形態に係る電子広告配信システムにおける広告主端末装置１のハードウェア構成としての１構成例を示す構成図である。
【００６６】
同図に例示する広告主端末装置１は、全体の制御機能を有するＣＰＵ１１と、インターネット網１０を介した通信機能を有する通信処理部１２と、広告情報を入力する広告入力画面（図５参照）を備えた広告情報入力部１３と、広告情報を編集する広告編集画面（図６参照）を備えた広告情報編集部１４と、広告情報の作成に必要なデータベース（後述）を管理するデータベース管理部１５と、広告情報の入力に使用される入力装置１６と、広告入力画面（図５参照）及び広告編集画面（図６参照）等を表示する表示装置１７と、広告情報等を印刷する印刷装置１８と、を備え、また、データベース管理部１５によって管理され、電子広告の広告情報に含める広告文を格納する広告文ＤＢ（データベース）１５１と、電子広告に掲載する広告写真を格納する広告写真ＤＢ１５２と、電子広告の広告情報を格納する広告情報ＤＢ１５３と、を備える。
【００６７】
図５は、広告情報入力部１３によって表示装置１７上に表示される広告入力画面を示す説明図である。
【００６８】
また、図６は、広告情報編集部１４によって表示装置１７上に表示される広告編集画面を示す説明図である。
【００６９】
図５に示す広告入力画面１０１は、広告主が広告情報を入力する際に、入力装置１６から操作可能な広告情報入力部１３（ここでは電子広告用ブラウザ）を介して表示装置１７上に表示させるものであり、広告種別を入力するための広告種別入力部１０１１と、広告本文を入力するための広告本文入力部１０１２と、広告取り扱い情報を入力するための広告取扱情報入力部１０１３と、広告情報の入力を操作するための入力操作部１０１４と、が設定されている。
【００７０】
また、図６に示す広告編集画面２０１は、広告主が広告情報を編集する際に、入力装置１６から操作可能な広告情報編集部１４（ここでは電子編集用ブラウザ）を介して表示装置１７上に表示させるものであり、広告情報の編集を操作するための編集操作部２０１１と、広告種別及び状態を表示する広告種別&状態表示画面２０１２と、広告本文を表示する広告本文表示画面２０１３と、広告写真を表示する広告写真表示画面２０１４と、広告取り扱い情報を表示する広告取扱情報表示画面２０１５と、が設定されている。
【００７１】
広告入力画面１０１及び広告編集画面２０１は、ここでは専用のブラウザから提供されるものとしたが、ウェブページとして提供されるものであってもよい。
電子広告の登録を希望する顧客は、まず、入力装置１６を用いて会員登録申請を作成し、通信処理部１２から電子広告サーバ４に送信して会員登録を行う。
この会員登録申請は、その書式が、所定の電子広告用ブラウザ内に設けられたものを利用してもよい。
【００７２】
次に、入力装置１６を使用して、広告入力画面１０１（図５参照）を表示装置１７上に呼び出し、引き続き、入力装置１６を介して広告入力画面１０１の入力操作部１０１４を操作しながら、広告種別を広告種別入力部１０１１に入力し、さらに、広告文（本文）を広告本文入力部１０１２に入力する。
最後に、広告の取り扱いを定める広告取扱情報を広告取扱情報入力部１０１３に入力する。
入力が完了したことを、入力操作部１０１４を介して通知すると、これにより、入力された広告文等の情報が広告文ＤＢ１５１に格納される。
【００７３】
その後、入力装置１６を使用して、広告編集画面２０１（図６参照）を表示装置１７上に呼び出し、引き続き、入力装置１６を介して広告編集画面２０１の編集操作部２０１１を操作しながら、広告種別&状態表示画面２０１２に表示された広告種別等の情報を編集し、次に、広告本文表示画面２０１３に表示された広告本文を編集し、さらに、広告写真表示画面２０１４に表示された広告写真を編集する。
なお、広告写真表示画面２０１４に表示される広告写真は、広告主が別途に撮影し、広告写真ＤＢ１５２に格納していたものである。
【００７４】
最後に、広告取扱情報表示画面２０１５に表示された広告取扱情報を編集する。
編集が完了したことを、編集操作部２０１１を介して通知すると、これにより、編集完了した広告情報が広告情報ＤＢ１５３に格納される。
【００７５】
図７は、顧客端末装置５の表示装置上に表示されるウェブページの電子広告の１例を示す説明図である。
【００７６】
同図に示す電子広告（即ちウェブページ、ここではウェブ・チラシ３０１）は、顧客端末装置５の表示装置上に表示されるウェブページであり、当該ウェブページを閲覧する会員顧客に対して、当該ウェブページ上での閲覧操作を可能にするための閲覧操作部３０１１と、複数の広告案内画面（ここでは３０１２−１〜３０１２−ｎ）と、前記複数の広告案内画面の１つがクリックされた時に表示される広告詳細写真画面３０１３と、が表示される。
【００７７】
勿論、このようなウェブページは複数ページに渡ってもよいし、適当なホームページを付与してもよい。
さらに、広告詳細写真画面３０１３には、当該広告を閲覧した会員顧客に対して、何らかの特典（例えば、サービスポイントやクーポン券）を提供するための画面が表示されるものであってもよい。
【００７８】
また、提供するウェブページの形式や更新方法は任意であり、たとえば、掲示板やブログ風にすることも可能である。
【００７９】
図８は、電子広告サーバ４におけるサーバ部４１６の処理手順を示すフローチャート図である。
【００８０】
以下、図１〜７を参照しながら、図８に示すフローチャート図を使用して、電子広告サーバ４におけるサーバ部４１６の処理手順を説明する。
【００８１】
（ステップＳ１）
まず、ステップＳ１では、受付サーバ４０１が、通信制御部４１４を介して電子メールを受信し、全情報を受信メール情報ＤＢ４５３に格納する。
【００８２】
（ステップＳ２）
次に、ステップＳ２では、受付サーバ４０１は、受信した電子メールの用件が、新規広告主の登録申請か否かを検証し、新規広告主の登録申請であれば、ステップＳ１１に移り、さもなければステップＳ３に進む。
【００８３】
（ステップＳ３）
ステップＳ３では、受付サーバ４０１は、受信した電子メールの用件が、新規会員顧客の登録申請か否かを検証し、新規会員顧客の登録申請であれば、ステップＳ１２に移り、さもなければステップＳ４に進む。
【００８４】
（ステップＳ４）
ステップＳ４では、受付サーバ４０１は、受信した電子メールの用件が、新規広告の登録申請か否かを検証し、新規広告の登録申請であれば、ステップＳ１３に移り、さもなければステップＳ５に進む。
【００８５】
（ステップＳ５）
ステップＳ５では、受付サーバ４０１は、受信した電子メールの用件が、電子広告の更新要求か否かを検証し、電子広告の更新要求であれば、ステップＳ６に進み、さもなければステップＳ１４に進む。
【００８６】
（ステップＳ６）
ステップＳ６では、メールサーバ４０２は、受信した電子メールから広告更新情報を抽出する。
【００８７】
（ステップＳ７）
ステップＳ７では、メールサーバ４０２は、受信した電子メールの広告更新情報に基づいて広告情報ＤＢ４５４を照合検索し、前記広告更新情報で更新されるべき広告情報を取得する。
【００８８】
（ステップＳ８）
ステップＳ８では、メールサーバ４０２は、ステップＳ６で抽出した広告更新情報を、ステップＳ７で取得した広告情報を参照して、広告電子メール用の文面に編集する。
【００８９】
（ステップＳ９）
ステップＳ９では、ウェブサーバ４０３は、ステップＳ７で取得した広告情報を、ステップＳ６で抽出した広告更新情報でもって更新し、広告情報ＤＢ４５４に再書き込みする（登録）。
【００９０】
（ステップＳ１０）
ステップＳ１０では、メールサーバ４０２は、会員顧客登録ＤＢ４５２に登録されている顧客会員全員の顧客端末装置５、若しくは当該広告更新情報の通知に適合した一部の会員顧客の顧客端末装置５に対し、電子広告のウェブページのＵＲＬと、ステップＳ８で編集した文面とを通信内容とする広告電子メールを発信すると共に、通信内容を送信履歴ＤＢ４５６に保存した後、ステップＳ１に戻る。
【００９１】
（ステップＳ１１）
ステップＳ１１では、受付サーバ４０１は、新規広告主の資格条件を登録審査した後、この審査に合格している場合は広告主登録ＤＢ４５１に登録し、ステップＳ１に戻る。
【００９２】
（ステップＳ１２）
ステップＳ１２では、受付サーバ４０１は、新規会員顧客の資格条件を登録審査した後、この審査に合格している場合は会員顧客登録ＤＢ４５２に登録し、ステップＳ１に戻る。
【００９３】
（ステップＳ１３）
ステップＳ１３では、ウェブサーバ４０３は、受信した電子メールの発信元を、広告主登録ＤＢ４５１に登録されている会員広告主と照合して認証すると共に電子メールに含まれている新規広告内容を登録審査した後、この審査に合格している場合は広告情報ＤＢ４５４に登録し、メールサーバ４０２は、会員顧客登録ＤＢ４５２に登録されている顧客会員全員の顧客端末装置５、若しくは当該広告更新情報の通知に適合した一部の会員顧客の顧客端末装置５に対し、電子広告のウェブページのＵＲＬと、受信した新規広告登録申請の電子メールに含まれる電子広告の要約を通信内容とする広告電子メールを発信すると共に、通信内容を送信履歴ＤＢ４５６に保存した後、ステップＳ１に戻る。
【００９４】
（ステップＳ１４）
ステップＳ１４では、受付サーバ４０１は、受信した電子メールを、一般電子メールの処理部（図示は省略）にそのまま送付し、ステップＳ１に戻る。
【００９５】
なお、課金部４１７は、課金情報を作成すると共に、広告主登録ＤＢに登録されている会員広告主に対し、所定の周期で課金するものとするが、この課金情報の作成に際しては、広告情報ＤＢ４５４及び送信履歴ＤＢ４５６に格納されている情報が参照される。
【００９６】
この実施の形態によれば、電子広告をウェブページとして会員顧客に閲覧可能にすると共に、ウェブページの初回登録時にはその要約、更新時にはその更新情報を直ちに電子メールで配信するので、電子広告による広告効果を高めると共に、最新の電子広告を配信するための通信経費と手間暇を軽減できる電子広告配信システムを提供することができる効果がある。
また、時系列的に変化する営業活動やサービス内容（時刻限定の特売等）を、リアルタイムで木目細かく会員顧客に通知することができる効果がある。
【図面の簡単な説明】
【００９７】
【図１】図１は、本発明の実施形態に係る電子広告配信システムの全体的なシステム構成を示す構成図である。
【図２】図２は、本発明の実施の形態に係る電子広告配信システムにおける電子広告サーバのハードウェア構成としての１構成例を示す構成図である。
【図３】図３は、電子広告サーバにおけるサーバ部の機能ブロックとしての１構成例を示す構成図である。
【図４】図４は、本発明の実施の形態に係る電子広告配信システムにおける広告主端末装置のハードウェア構成としての１構成例を示す構成図である。
【図５】図５は、広告情報入力部によって表示装置上に表示される広告入力画面を示す説明図である。
【図６】図６は、広告情報編集部によって表示装置上に表示される広告編集画面を示す説明図である。
【図７】図７は、顧客端末装置の表示装置上に表示されるウェブページの電子広告の１例を示す説明図である。
【図８】図８は、電子広告サーバにおけるサーバ部の処理手順を示すフローチャート図である。
【符号の説明】
【００９８】
１，１−１，１−２，１−ｎ…広告主端末装置
２−１，２−２，２−ｎ…カメラ
３−１，３−２，３−ｒ…広告主携帯電話
４…電子広告サーバ
４０１…受付サーバ
４０２…メールサーバ
４０３…ウェブサーバ
４１…制御部
４１１…ＣＰＵ
４１２…ＲＡＭ
４１３…回線制御部
４１４…通信制御部
４１５…ＤＢ管理部
４１６…サーバ部
４１７…課金部
４２…表示装置
４３…入力装置
４４…印刷装置
４５１…広告主登録ＤＢ
４５２…会員顧客登録ＤＢ
４５３…受信メール情報ＤＢ
４５４…広告情報ＤＢ
４５５…電子広告登録ＤＢ
４５６…送信履歴ＤＢ
４５７…課金データＤＢ
５−１，５−２，５−ｍ…顧客端末装置
６−１，６−２，６−ｈ…顧客携帯電話
１０…インターネット網
１１…ＣＰＵ
１２…通信処理部
１３…広告情報入力部
１４…広告情報編集部
１５…データベース管理部
１５１…広告文ＤＢ
１５２…広告写真ＤＢ
１５３…広告情報ＤＢ
１６…入力装置
１７…表示装置
１８…印刷装置
２０…携帯電話網
１０１…広告入力画面
１０１１…広告種別入力部
１０１２…広告本文入力部
１０１３…広告取扱情報入力
１０１４…入力操作部
１２０…入出力バス
１５１…広告文ＤＢ
１５２…広告写真ＤＢ
１５３…広告情報ＤＢ
２０１…広告編集画面
２０１１…編集操作部
２０１２…広告種別&状態表示画面
２０１３…広告本文表示画面
２０１４…広告写真表示画面
２０１５…広告取扱情報表示画面
３０１…ウェブ・チラシ画面
３０１１…閲覧操作部
３０１２−１，３０１２−２，３０１２−ｎ…広告案内画面
３０１３…広告詳細写真画面
【図１】
2010033471.tif 000003
【図２】
2010033471.tif 000004
【図３】
2010033471.tif 000005
【図４】
2010033471.tif 000006
【図５】
2010033471.tif 000007
【図６】
2010033471.tif 000008
【図７】
2010033471.tif 000009
【図８】
2010033471.tif 000010